Podtech/llm-jp-corpus-v4-ja_patent huggingface dataset:
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
被検眼の眼底と撮影光学系の撮像素子の撮像面を共役にするためのフォーカスユニットにおいて、
フォーカス指標照明光源と、
該フォーカス指標照明光源からの光束を複数の異なる方向に分離する光学部材とを有することを特徴とするフォーカスユニット。
【請求項２】
前記光学部材は光束を複数の方向に偏向する偏向プリズムで構成することを特徴とする請求項１に記載のフォーカスユニット。
【請求項３】
前記フォーカス指標照明光源はＬＥＤであることを特徴とする請求項１又は２に記載のフォーカスユニット。
【請求項４】
前記光学部材で分離された光束を、スリット状にする開口を備える部材を介して出射することを特徴とする請求項１〜３の何れか１つの請求項に記載のフォーカスユニット。
【請求項５】
被検眼の眼底像を撮像する撮像素子を備える撮影光学系と、
被検眼の眼底と前記撮像素子の撮像面を共役にするためのフォーカス指標照明光源と、
該フォーカス指標照明光源からの光束を複数の異なる方向に分離する光学部材とを有することを特徴とするフォーカスユニットを備えた眼科撮影装置。
【手続補正２】
【補正対象書類名】明細書
【補正対象項目名】発明の名称
【補正方法】変更
【補正の内容】
【発明の名称】フォーカスユニット及び該フォーカスユニットを備えた眼科撮影装置
【手続補正３】
【補正対象書類名】明細書
【補正対象項目名】０００１
【補正方法】変更
【補正の内容】
【０００１】
本発明は、眼科医院等において用いられるフォーカスユニット及び該フォーカスユニットを備えた眼科撮影装置に関するものである。
【手続補正４】
【補正対象書類名】明細書
【補正対象項目名】０００８
【補正方法】変更
【補正の内容】
【０００８】
本発明の目的は、上述の問題点を解消し、部品点数が少なく、容易な操作によりフォーカス合わせを実施できるフォーカスユニット及び該フォーカスユニットを備えた眼科撮影装置を提供することにある。
【手続補正５】
【補正対象書類名】明細書
【補正対象項目名】０００９
【補正方法】変更
【補正の内容】
【０００９】
上記目的を達成するための本発明に係るフォーカスユニットの技術的特徴は、被検眼の眼底と撮影光学系の撮像素子の撮像面を共役にするためのフォーカスユニットにおいて、フォーカス指標照明光源と、該フォーカス指標照明光源からの光束を複数の異なる方向に分離する光学部材とを有することにある。
また、本発明に係るフォーカスユニットを備えた眼科撮影装置の技術的特徴は、被検眼の眼底像を撮像する撮像素子を備える撮影光学系と、被検眼の眼底と前記撮像素子の撮像面を共役にするためのフォーカス指標照明光源と、該フォーカス指標照明光源からの光束を複数の異なる方向に分離する光学部材とを有することにある。
【手続補正６】
【補正対象書類名】明細書
【補正対象項目名】００１０
【補正方法】変更
【補正の内容】
【００１０】
本発明に係るフォーカスユニット及び該フォーカスユニットを備えた眼科撮影装置によれば、光路を分岐することなく、少ない部品点数でコントラストの高いスリット指標を投影してフォーカス合わせを行うことができるため、操作性を損なうことなく、装置を小型化、低価格化することができる。また、光源位置が固定であるため、構造を簡素化することができ、光源の信頼性を向上することができる。
【手続補正７】
【補正対象書類名】明細書
【補正対象項目名】００１９
【補正方法】変更
【補正の内容】
【００１９】
フォーカス合わせにおいて、観察光源１６ａ〜１６ｆを発した赤外光は、リング絞り１５のリング状開口１５ａ、水晶体絞り１４のリング状開口１４ａを通り、光路分岐ミラー１３を透過し、第２のリレーレンズ１２、フォーカスユニット１１、黒点板１０、第１のリレーレンズ９、角膜絞り８の開口を通り、孔あきミラー２により左方に反射され、対物レンズ１を経て被検眼Ｅの瞳孔Ｅｐを介して眼底Ｅｒを照明する。このように照明された眼底Ｅｒの像は、再び対物レンズ１、撮影絞り３、フォーカスレンズ４、撮影レンズ５を通り色分解プリズム６により、赤色及び赤外光を受光する撮像素子７ｒに導かれる。
【手続補正８】
【補正対象書類名】明細書
【補正対象項目名】００２６
【補正方法】変更
【補正の内容】
【００２６】
この眼底Ｅｒに投影されたスリット像Ｓ１、Ｓ２は、再び瞳孔Ｅｐ、対物レンズ１、撮影絞り３、フォーカスレンズ４を通り、色分解プリズム６に入射し撮像素子７ｒに導かれる。この信号は増幅回路２１ｒでビデオ信号に変換され、画像ボード２２に入力されて眼底像と共にテレビモニタ２７に表示され、撮影者はこの２つのスリット像を一直線にするように、フォーカススイッチ３１を操作することによりフォーカス調整を行うことができる。
【手続補正９】
【補正対象書類名】明細書
【補正対象項目名】００３２
【補正方法】変更
【補正の内容】
【００３２】
このように照明された眼底像は、再び瞳孔Ｅｐ、対物レンズ１、撮影絞り３、フォーカスレンズ４、撮影レンズ５を通り、色分解プリズム６により青（Ｂ）、緑（Ｇ）、赤（Ｒ）の三色に分光され、それぞれ撮像素子７ｂ、７ｇ、７ｒに結像して電気信号に変換され、画像ボード２２のＡ／Ｄ変換部２３でデジタルデータに変換され、テレビモニタ２７に表示されると共に、記録手段３０により記録媒体Ｄに記録される。そして、再びフォーカスユニット１１を光路内に配置し、観察光源１６ａ〜１６ｆ、指標照明光源１７を点灯し、一連の撮影動作を終了する。
【手続補正１０】
【補正対象書類名】明細書
【補正対象項目名】００３４
【補正方法】変更
【補正の内容】
【００３４】
１  対物レンズ
２  孔あきミラー
４  フォーカスレンズ
５  撮影レンズ
６  色分解プリズム
７  撮像素子
９  第１のリレーレンズ
１１  フォーカスユニット
１２  第２のリレーレンズ
１３  光路分岐ミラー
１４、１５、１８、１９  絞り
１６  観察光源
１７  フォーカス指標照明光源
２１  増幅回路
２５  画像制御手段
２７  テレビモニタ
２８  ＣＰＵ
２９  撮影スイッチ
３０  記録手段
【手続補正書】
【提出日】平成19年9月13日(2007.9.13)
【手続補正１】
【補正対象書類名】明細書
【補正対象項目名】００１９
【補正方法】変更
【補正の内容】
【００１９】
前記シリンダー４とバルブ５との間隙７の寸法をｔ、シリンダー４の径大頭部の外径寸法をＬ１、シリンダー４の円筒部の外径寸法をＬ２とした場合（図１及び図１０参照）、（Ｌ１−Ｌ２）／２＞ｔに設定することが好ましく、このように構成することで、エアーＱの流通が良くなり、耐久性の向上を図ることが出来る。また、上記の貫通穴６を一箇所以上に設けることで、エアー排気のバイパスとして使用することが出来、シリンダー４とバルブ５とにより形成される間隙７内を通るエアーＱの排気距離を短くすることが出来るものである。
【手続補正２】
【補正対象書類名】図面
【補正対象項目名】図１
【補正方法】変更
【補正の内容】
【図１】
2006110954.tif 000001
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
板材を積重ねてその一辺側を固着すると共に、この固着した辺と対向する他端側は、前記板材が重合して互いに接触する状態の開放端にして、この開放端内に拭き掃除用の掃除シートを取付け可能にした拭き具本体と、
この拭き具本体の前記開放端の内側で、前記重合したどちらか一方の面の板材に設けられて、前記掃除シートの一端を取付ける第１の取付手段と、
この第１の取付手段が設けられていない前記板材の開放端側外表面で、前記掃除シートを前記拭き具本体に巻廻した状態で取付けたその端部を取付ける第２の取付手段と、
この第２の取付手段の一部と接合すると共に、前記拭き具本体を電気掃除機の吸口体後部に配設するために、この吸口体の一部に配設した第３の取付手段とからなる掃除機用の拭き具。
【請求項２】
板材を折曲して互いに連結した複数枚の積重ね状態にすると共に、この折曲した板材の最終端を他の連結部分とは重合して互いに接触する開放端にして、この開放端内に拭き掃除用の掃除シートを取付け可能にした拭き具本体と、
この拭き具本体の前記開放端の内側で、前記重合したどちらか一方の面の板材に設けられて、前記掃除シートの一端を取付ける第１の取付手段と、
この第１の取付手段が設けられていない前記板材の開放端側で、前期掃除シートを前記拭き具本体に巻廻した状態で取付けたその端部を取付ける第２の取付手段と、
この第２の取付手段の一部と接合すると共に、前記拭き具本体を電気掃除機の吸口体後部に配設するために、この吸口体の一部に配設した第３の取付手段とからなる掃除機用の拭き具。
【手続補正書】
【提出日】平成19年10月13日(2007.10.13)
【手続補正１】
【補正対象書類名】特許請求の範囲
【補正対象項目名】全文
【補正方法】変更
【補正の内容】
【特許請求の範囲】
【請求項１】
ケースと、このケースに首振り自在に且つケースの外部に突出するように設けられた首振り具とから成り、前記ケースの内部にはモータが納められており、このモータの回転軸にこの回転軸の回転運動をケースの長手方向へのリニアな往復運動に変換する変換機が取り付けられており、この変換機の出力部に前記首振り具が接続されて首振り運動を行い得るように構成されていることを特徴とする、首振り具を備えたマッサージ器。
【請求項２】
前記モータがその回転軸をケースの長手方向の先方に向けるようにしてケースに納められており、前記回転軸はギヤ列を介して、前記ケースを横断するように設けられた回転軸に軸支された回転円板に接続されており、前記変換機は、前記回転円板と、この回転円板の偏心軸にその一端部が係止された往復杆とから成るものであり、この往復杆の他端部がこの変換機の出力部である、請求項１に記載の首振り具を備えたマッサージ器。
【請求項３】
前記首振り具が舌状体である、請求項１に記載の首振り具を備えたマッサージ器。
【請求項４】
前記首振り具の先端部に略円柱状体または略球状体が、この首振り具が行なう往復運動の軌跡の上を転動するように回転自在に設けられている、請求項１に記載の首振り具を備えたマッサージ器。
【請求項５】
このマッサージ器には、前記首振り具を覆うようにして、柔軟な素材から成るカバーが掛けられている、請求項１に記載の首振り具を備えたマッサージ器。
【請求項６】
このマッサージ器にバイブレータが設けられている、請求項１に記載の首振り具を備えたマッサージ器。
【請求項７】
前記首振り具の周りに、この首振り具の首振り方向の少なくとも一方向側が開放された覆い部が設けられており、首振り具の首振り運動時にはこの開放された部位から覆い部の外へ首振り具が出るように構成されている、請求項１に記載の首振り具を備えたマッサージ器。
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
遊技機本体の前面の少なくとも一部を覆う装飾枠を備えた遊技機において、
前記装飾枠には前方へ膨出形成された膨出部が設けられると共に、その膨出部を前記本体にて下方から支持する支持構造が設けられたことを特徴とする遊技機。
【請求項２】
前記装飾枠は、前記本体に対して開閉可能に設けられ、
前記支持構造は、前記装飾枠を前記本体側へ閉じた際に前記膨出部を支持する支持状態とされると共に前記装飾枠を開放した際に前記支持状態が解除されることを特徴とする請求項１に記載の遊技機。
【請求項３】
前記支持構造が、前記本体より延設されて前記膨出部を支持する本体延設部からなることを特徴とする請求項１又は２に記載の遊技機。
【請求項４】
前記本体は、遊技領域を有する本体枠と、その本体枠の前面側にて開閉可能に設けられ且つ前記遊技領域を臨む窓部を有する窓枠と、前記本体枠を矩形開口内にて開閉可能に支持する外枠とを備え、
前記装飾枠は、前記窓枠の前面の少なくとも一部を覆うように設けられ、
前記本体延設部は、前記外枠より延設されたことを特徴とする請求項３に記載の遊技機。
【請求項５】
前記本体は、遊技領域を有する本体枠と、その本体枠の前面側にて開閉可能に設けられ且つ前記遊技領域を臨む窓部を有する窓枠とを備え、
前記装飾枠は、前記窓枠の前面の少なくとも一部を覆うように設けられ、
前記本体延設部は、前記本体枠より延設されたことを特徴とする請求項３に記載の遊技機。
【請求項６】
前記支持構造が、前記装飾枠の膨出部より延設されて前記本体に当接する装飾枠延設部からなることを特徴とする請求項１又は２に記載の遊技機。
【請求項７】
前記本体は、遊技領域を有する本体枠と、その本体枠の前面側にて開閉可能に設けられ且つ前記遊技領域を臨む窓部を有する窓枠と、前記本体枠を矩形開口内にて開閉可能に支持する外枠とを備え、
前記装飾枠は、前記窓枠の前面の少なくとも一部を覆うように設けられ、
前記装飾枠延設部は、前記外枠に当接するように延設されたことを特徴とする請求項６に記載の遊技機。
【請求項８】
前記本体は、遊技領域を有する本体枠と、その本体枠の前面側にて開閉可能に設けられ且つ前記遊技領域を臨む窓部を有する窓枠とを備え、
前記装飾枠は、前記窓枠の前面の少なくとも一部を覆うように設けられ、
前記装飾枠延設部は、前記本体枠に当接するように延設されたことを特徴とする請求項６に記載の遊技機。
【請求項９】
前記支持構造が、前記本体より延設された本体延設部と、前記装飾枠の膨出部より延設されて前記本体延設部と互いに当接する装飾枠延設部とからなることを特徴とする請求項１又は２に記載の遊技機。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
画像を表示する表示手段と、
画像の表示領域の変更の指示を取得する表示領域変更指示取得手段と、
前記指示の取得に応じて画像の回転の中心の位置を移動させる中心移動手段と、
内視鏡を用いて撮像された画像を構成する画素の各々に対して前記移動後の位置を中心とする回転変換を施し、当該回転変換の施された後の画素によって構成される画像のうち前記表示手段での有効表示範囲に含まれるものを当該表示手段に表示させる画像処理手段と、
を有することを特徴とする内視鏡装置。
【請求項２】
画像の表示領域の変更の指示を取得し、
前記指示の取得に応じて画像の回転の中心の位置を移動させ、
内視鏡を用いて撮像された画像を構成する画素の各々に対して前記移動後の位置を中心とする回転変換を施し、
前記回転変換の施された後の画素によって構成される画像のうち表示部での有効表示範囲に含まれるものを当該表示部に表示させる、
ことを特徴とする内視鏡装置の制御方法。
【請求項３】
画像の表示領域の変更の指示を取得する表示領域変更指示取得処理と、
前記指示の取得に応じて画像の回転の中心の位置を移動させる中心移動処理と、
内視鏡を用いて撮像された画像を構成する画素の各々に対して前記移動後の位置を中心とする回転変換を施し、前記回転変換の施された後の画素によって構成される画像のうち表示部での有効表示範囲に含まれるものを当該表示部に表示させる画像処理と、
をコンピュータに行わせるためのプログラム。
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
観察手段が設けられた先端部と、湾曲ワイヤを介して湾曲自在となる湾曲部と、少なくとも前記湾曲ワイヤを含む内蔵物が挿通された可撓性の可撓管と、前記可撓管の後端が固定される操作部と、を備えた内視鏡において、
前記可撓管は、高温高圧蒸気滅菌装置による高温高圧蒸気滅菌処理により、熱処理を施して収縮させて当該内視鏡に組み込むようにしたことを特徴とする内視鏡。
【請求項２】
前記可撓管内に前記内臓物として挿通される可撓性のチューブ体は、熱処理が施された後、当該内視鏡内に組み込まれることを特徴とする請求項１に記載の内視鏡。
【請求項３】
前記可撓管は、前記熱処理により熱処理前の長さから０．５％から１．５％程度収縮させるようにしたことを特徴とする請求項１に記載の内視鏡。
【手続補正２】
【補正対象書類名】明細書
【補正対象項目名】０００６
【補正方法】変更
【補正の内容】
【０００６】
（発明の目的）
本発明は、上述した点に鑑みてなされたもので、高温高圧蒸気滅菌処理を繰り返して行っても、可撓管長が変わらないため、長期間にわたり湾曲ワイヤなどの内臓物の撓みの発生を防止できるようにした内視鏡を提供することを目的とする。
【手続補正３】
【補正対象書類名】明細書
【補正対象項目名】０００７
【補正方法】変更
【補正の内容】
【０００７】
本発明による一態様による内視鏡は、観察手段が設けられた先端部と、湾曲ワイヤを介して湾曲自在となる湾曲部と、少なくとも前記湾曲ワイヤを含む内蔵物が挿通された可撓性の可撓管と、前記可撓管の後端が固定される操作部と、を備えた内視鏡において、
前記可撓管は、高温高圧蒸気滅菌装置による高温高圧蒸気滅菌処理により、熱処理を施して収縮させて当該内視鏡に組み込むようにした。
【手続補正４】
【補正対象書類名】明細書
【補正対象項目名】０００８
【補正方法】変更
【補正の内容】
【０００８】
本発明によれば、高温高圧蒸気滅菌処理を繰り返して行っても、可撓管長が変わらないため、長期間にわたり湾曲ワイヤなどの内臓物の撓みの発生を防止でき、従って湾曲特性の低下を防ぐことが等を防止できる。
【手続補正書】
【提出日】平成18年12月21日(2006.12.21)
【手続補正１】
【補正対象書類名】明細書
【補正対象項目名】請求項５
【補正方法】変更
【補正の内容】
【請求項５】  前記副エネルギー供給手段がエネルギー蓄積手段を備え、前記移行期間に、該エネルギー蓄積手段で蓄積した電力を前記主エネルギー供給手段の電力供給と合わせて供給することを特徴とする請求項３又は４に記載の画像形成装置。
【手続補正２】
【補正対象書類名】明細書
【補正対象項目名】請求項１２
【補正方法】変更
【補正の内容】
【請求項１２】  前記主エネルギー供給手段が停電した場合には、主エネルギー供給手段に代わって副エネルギー供給手段から電力を供給することを特徴とする請求項３に記載の画像形成装置。
【手続補正３】
【補正対象書類名】明細書
【補正対象項目名】００２０
【補正方法】変更
【補正の内容】
【００２０】
〔５〕  前記副エネルギー供給手段がエネルギー蓄積手段を備え、前記移行期間に、該エネルギー蓄積手段で蓄積した電力を前記主エネルギー供給手段の電力供給と合わせて供給することを特徴とする〔３〕又は〔４〕に記載の画像形成装置。
【手続補正４】
【補正対象書類名】明細書
【補正対象項目名】００２７
【補正方法】変更
【補正の内容】
【００２７】
〔１２〕  前記主エネルギー供給手段が停電した場合には、主エネルギー供給手段に代わって副エネルギー供給手段から電力を供給することを特徴とする〔３〕に記載の画像形成装置。
【手続補正５】
【補正対象書類名】明細書
【補正対象項目名】００３８
【補正方法】変更
【補正の内容】
【００３８】
同図において、１，３は、画像形成手段や像加熱手段等にエネルギーを供給するエネルギー供給手段（電源回路）であり、通常動作時にエネルギーを供給する主エネルギー供給手段３と、起動時に該主エネルギー供給手段と合わせてエネルギーを供給する副エネルギー供給手段１とからなっている。
【手続補正６】
【補正対象書類名】明細書
【補正対象項目名】００３９
【補正方法】変更
【補正の内容】
【００３９】
該副エネルギー供給手段１は、電気化学的な手段により電力を蓄積するエネルギー蓄積手段１２と、該蓄積手段１２からの出力を主エネルギー供給手段３の出力に付加する付加手段２ａと、主エネルギー供給手段３から蓄積手段１２へエネルギーを補給する補給手段２ｂとを有している。
【手続補正７】
【補正対象書類名】明細書
【補正対象項目名】００４１
【補正方法】変更
【補正の内容】
【００４１】
５は定着器駆動回路（制御回路）及び定着器を表わすブロックであり、６は、画像形成装置を構成する各部のコントロールを行なう制御回路（制御手段）で、画像処理部も含む。７は、上記５と６を除くその他の駆動回路及び駆動部であり、上記像形成手段や、ソータ部、シートフィーダ部、パネル表示部などである。
【手続補正８】
【補正対象書類名】図面
【補正対象項目名】図２
【補正方法】変更
【補正の内容】
【図２】
2002014574.tif 000001
【手続補正９】
【補正対象書類名】図面
【補正対象項目名】図５
【補正方法】変更
【補正の内容】
【図５】
2002014574.tif 000002
【手続補正１０】
【補正対象書類名】図面
【補正対象項目名】図６
【補正方法】変更
【補正の内容】
【図６】
2002014574.tif 000003
【手続補正書】
【提出日】平成19年6月19日(2007.6.19)
【手続補正１】
【補正対象書類名】明細書
【補正対象項目名】特許請求の範囲
【補正方法】変更
【補正の内容】
【特許請求の範囲】
【請求項１】  感光体と、感光体上のトナーをクリーニングするクリーニング手段と、装置本体外の空気を装置本体内に向かって導入するためのファンと、前記ファンに連なり、前記クリーニング手段に沿って配置され、ファンにより形成される空気流の上流側から下流側に向かって断面積が狭くなるダクトと、ファンにより形成される空気流の上流側から下流側に向かう方向に並べて前記ダクトに設けられ、前記クリーニング手段に向かって空気を吹き付けるための複数の開口部と、を有する画像形成装置において、
前記方向における開口部間の境界部の幅は前記方向における各開口部の開口部幅の１／４以下であることを特徴とする画像形成装置。
【請求項２】  前記ダクト内に斜めの壁を形成して該ダクトの断面積が導入口から奥側に向かって狭くなるようにしたことを特徴とする請求項１記載の画像形成装置。
【請求項３】  前記ダクトをクリーニング手段と定着手段の間に配置したことを特徴とする請求項１又は請求項２記載のいずれかに記載の画像形成装置。
【手続補正２】
【補正対象書類名】明細書
【補正対象項目名】００３３
【補正方法】変更
【補正の内容】
【００３３】
【課題を解決するための手段】
上記目的を達成するために本発明は、感光体と、感光体上のトナーをクリーニングするクリーニング手段と、装置本体外の空気を装置本体内に向かって導入するためのファンと、前記ファンに連なり、前記クリーニング手段に沿って配置され、ファンにより形成される空気流の上流側から下流側に向かって断面積が狭くなるダクトと、ファンにより形成される空気流の上流側から下流側に向かう方向に並べて前記ダクトに設けられ、前記クリーニング手段に向かって空気を吹き付けるための複数の開口部と、を有する画像形成装置において、前記方向における開口部間の境界部の幅は前記方向における各開口部の開口部幅の１／４以下であることを特徴とする。
【手続補正３】
【補正対象書類名】明細書
【補正対象項目名】００３４
【補正方法】削除
【補正の内容】
【手続補正４】
【補正対象書類名】明細書
【補正対象項目名】００３５
【補正方法】削除
【補正の内容】
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００７７
【補正方法】変更
【補正の内容】
【００７７】
【発明の効果】
以上の説明で明らかなように、本発明によれば、ダクトの導入口から奥側に沿う全域に亘って風速を略均一にすることができ、装置本体内のエアーの流れを乱すことなく、装置本体内のエアーを効率良く排気し或は装置本体内を効率良く冷却することができるという効果が得られる。
【手続補正書】
【提出日】平成19年6月25日(2007.6.25)
【手続補正１】
【補正対象書類名】明細書
【補正対象項目名】０００２
【補正方法】変更
【補正の内容】
【０００２】
【従来の技術】
転写式電子写真画像形成装置に用いられる感光体としては有機感光体やアモルファスシリコン系感光体（以下、ａ−Ｓｉ系感光体と記す）等がよく用いられているが、ａ−Ｓｉ系感光体は、表面硬度が高く、半導体レーザーなどに高い感度を示し、しかも繰返し使用による劣化もはとんど認められないことから、高速複写機やレーザービームプリンタ（ＬＢＰ）などの電子写真用感光体として用いられている。
【手続補正２】
【補正対象書類名】明細書
【補正対象項目名】００５１
【補正方法】変更
【補正の内容】
【００５１】
磁気ブラシ接触帯電装置３０は磁気ブラシの長手端部が判るよう透視して示したものである。感光体１に接している磁気ブラシ幅は、非磁性スリーブ３０３に内包のマグネット３０２の幅にほぼ等しく、点線Ｄ−Ｄ’で示される長手方向幅となる。
【手続補正３】
【補正対象書類名】明細書
【補正対象項目名】００５３
【補正方法】変更
【補正の内容】
【００５３】
磁気ブラシ接触帯電装置３０の感光体移動方向Ｘの下流側には、画像露光装置２が配置され、感光体１上を画像情報の時系列電気デジタル画素信号に対応してＯＮ−ＯＦＦ変調されたレーザー光Ｌによって露光している。この時の静電潜像形成範囲はレーザー光Ｌの長手方向のスキャン範囲であり、図では点線Ｆ−Ｆ’の幅となる。
【手続補正４】
【補正対象書類名】明細書
【補正対象項目名】００６６
【補正方法】変更
【補正の内容】
【００６６】
ＬＥＤ発光素子１０７に不図示の電源から電圧を印加し、発光した光をシリンドリカルレンズ１０８によって集光し、感光体１の表面を均一露光Ｌａ（帯電前露光）する。この露光する範囲Ｃはシリンドリカルレンズ１０８の効果により感光体１の回転方向（周方向）には広がらないため、図４の様に磁気ブラシ接触帯電装置３０の端部以外のニップ部に露光光Ｌａが当たることが無く、さらにキャリア付着を減少させることができる。即ち、帯電前露光装置１００の露光光Ｌａが、磁気ブラシ接触帯電装置１００と感光体１の接触部分に掛からないことで、さらにキャリア付着を減少させることができる。
【手続補正書】
【提出日】平成19年6月25日(2007.6.25)
【手続補正１】
【補正対象書類名】明細書
【補正対象項目名】００６２
【補正方法】変更
【補正の内容】
【００６２】
本実施例の画像記録装置は、転写式電子写真プロセス利用、帯電促進粒子を用いた直接注入帯電方式、トナーリサイクルプロセス（クリーナレスシステム）のレーザプリンタ（像担持体クリーナレス構成の電子写真方式の画像記録装置）である。
【手続補正２】
【補正対象書類名】明細書
【補正対象項目名】００６４
【補正方法】変更
【補正の内容】
【００６４】
２は接触帯電部材（帯電装置）としての導電性弾性ローラ（以下、帯電ローラと記す）である。この帯電ローラ２は、図２のように、芯金２ａの両端部をローラ軸支持部材（軸受け部材）２ｄ・２ｄにより回転自由に支持させてある。そして、このローラ軸支持部材２ｄ・２ｄを加圧ばね２ｅ・２ｅで感光ドラム１方向に加圧付勢することで帯電ローラ２を感光ドラム１に対して所定の押圧力をもって当接させてある。
【手続補正３】
【補正対象書類名】明細書
【補正対象項目名】００６６
【補正方法】変更
【補正の内容】
【００６６】
帯電ローラ２はこの帯電ニップ部ｎにおいて感光ドラム１の回転方向と逆方向（カウンター）に不図示の駆動系で回転駆動され、感光ドラム１面（像担持体表面）に対して速度差を持って接触する。またプリンタの画像記録時には該帯電ローラ２に帯電バイアス印加電源Ｓ１から所定の帯電バイアス、本実施例ではＤＣ電圧−７００Ｖが印加される。これにより、回転感光ドラム１の周面が直接注入帯電方式で所定の極性・電位に一様に接触帯電処理される。
【手続補正４】
【補正対象書類名】明細書
【補正対象項目名】００７０
【補正方法】変更
【補正の内容】
【００７０】
４はレーザダイオード・ポリゴンミラー等を含むレーザビームスキャナ（像露光装置：情報書き込み手段）である。このレーザビームスキャナ４は目的の画像情報の時系列デジタル画像信号に対応して強度変調されたレーザ光Ｌを出力し、該レーザ光Ｌで上記回転感光ドラム１の一様帯電面を走査露光する。この走査露光により回転感光ドラム１の面に目的の画像情報に対応した静電潜像が形成される。
【手続補正５】
【補正対象書類名】明細書
【補正対象項目名】００７２
【補正方法】変更
【補正の内容】
【００７２】
６は接触転写手段（転写装置）としての中抵抗の転写ローラであり、感光ドラム１に所定に圧接させて転写ニップ部ｂを形成させてある。この転写ニップ部ｂに不図示の給紙部から所定のタイミングで被記録体としての転写材Ｐが給紙され、かつ転写ローラ６に転写バイアス印加電源Ｓ３から所定の転写バイアス電圧が印加されることで、感光ドラム１側のトナー像が転写ニップ部ｂに給紙された転写材Ｐの面に順次に転写されていく。
【手続補正６】
【補正対象書類名】明細書
【補正対象項目名】００７３
【補正方法】変更
【補正の内容】
【００７３】
本実施例で使用の転写ローラ６は、芯金６ａに中抵抗発泡層６ｂを形成した、ローラ抵抗値５ｘ１０８  Ωのものであり、＋２．０ｋＶの電圧を芯金に印加して転写を行なった。転写ニップ部ｂに導入された転写材Ｐはこの転写ニップ部ｂを挟持搬送されて、その表面側に回転感光ドラム１の表面に形成担持されているトナー画像が順次に静電気力と押圧力にて転写されていく。
上記の帯電装置２、像露光装置４、現像装置５、転写装置６が感光ドラム１の周りに配置されている。
【手続補正７】
【補正対象書類名】明細書
【補正対象項目名】００７４
【補正方法】変更
【補正の内容】
【００７４】
７は熱定着方式等の定着装置であり、被記録体上の画像を定着する。即ち、転写ニップ部ｂに給紙されて感光ドラム１側のトナー画像（現像剤画像）の転写を受けた転写材Ｐは回転感光ドラム１の面から分離されてこの定着装置７に導入され、トナー画像の定着を受けて画像形成物（プリント、コピー）として装置外へ排出される。
【手続補正８】
【補正対象書類名】明細書
【補正対象項目名】０１２１
【補正方法】変更
【補正の内容】
【０１２１】
ｅ）また、帯電ニップ部ｎに持ち運ばれた転写残トナーは前記したように帯電補助ファーブラシ８によりその帯電極性が正規帯電極性のマイナスとは反対極性のプラスに実質的に揃えられているので、感光ドラム１面から、マイナスの帯電バイアスが印加されている帯電ローラ２の面に対して電気的引力により効率的に一時回収（一時担持）される。
【手続補正９】
【補正対象書類名】明細書
【補正対象項目名】０１７１
【補正方法】変更
【補正の内容】
【０１７１】
６）静電潜像形成のための画像露光手段としては、実施形態例の様にデジタル的な潜像を形成するレーザ走査露光手段に限定されるものではなく、通常のアナログ的な画像露光やＬＥＤなどの他の発光素子でも構わないし、蛍光燈等の発光素子と液晶シャッター等の組み合わせによるものなど、画像情報に対応した静電潜像を形成できるものであるなら構わない。
【手続補正書】
【提出日】平成19年6月28日(2007.6.28)
【手続補正１】
【補正対象書類名】明細書
【補正対象項目名】発明の名称
【補正方法】変更
【補正の内容】
【発明の名称】プローブの走査制御装置、該走査制御装置による走査型プローブ顕微鏡及び加工装置
【手続補正２】
【補正対象書類名】明細書
【補正対象項目名】特許請求の範囲
【補正方法】変更
【補正の内容】
【特許請求の範囲】
【請求項１】探針を試料に対し相対走査して該試料上の情報を検出するプローブの走査制御装置において、
前記試料の表面方向において探針と試料とのなす相対速度が一定となるように、走査量と間隔制御量を制御する制御手段を有することを特徴とするプローブの走査制御装置。
【請求項２】前記制御手段が、探針が試料表面の接線方向に追従するように追従誤差量と間隔制御速度と走査速度とから追従方向を演算する追従方向演算手段と、
前記追従方向において探針と試料との相対速度が一定値となるように演算する追従速度演算手段と、
前記追従速度演算手段の演算結果に基づき、間隔制御量を演算する間隔制御量演算手段と、
前記追従速度演算手段の演算結果に基づき、走査制御量を演算する走査制御量演算手段と、
を少なくとも有することを特徴とする請求項１に記載のプローブの走査制御装置。
【請求項３】探針を試料に対し相対走査して該試料上の情報を検出するプローブを有する走査型プローブ顕微鏡において、前記プローブの走査が請求項１または請求項２に記載の走査制御装置によって制御するように構成されていることを特徴とする走査型プローブ顕微鏡。
【請求項４】前記試料上の情報の検出において、等時間間隔でサンプリングを行うサンプリング手段を有することを特徴とする請求項３に記載の走査型プローブ顕微鏡。
【請求項５】前記サンプリング手段の得た情報を走査制御量から得られる走査方向のサンプリング位置に基づき、２次元分布として合成する情報合成手段を有することを特徴とする請求項４に記載の走査型プローブ顕微鏡。
【請求項６】探針を被加工物に対し相対走査して該被加工物を加工する走査型プローブによる加工装置において、前記プローブの走査が請求項１または請求項２に記載の走査制御装置によって制御するように構成されていることを特徴とする走査型プローブによる加工装置。
【請求項７】前記被加工物の加工において、探針が追従する試料形状の空間周波数を制限する周波数制限手段を有することを特徴とする請求項６に記載の走査型プローブによる加工装置。
【手続補正３】
【補正対象書類名】明細書
【補正対象項目名】０００１
【補正方法】変更
【補正の内容】
【０００１】
【発明の属する技術分野】
本発明は、プローブの走査制御装置、該走査制御装置による走査型プローブ顕微鏡及び加工装置に関し、特に、探針で測定試料を相対走査して該測定試料上の情報を取得するＳＰＭ（走査型プローブ顕微鏡）および、同原理を用いて該試料を加工する加工装置の技術分野に関するものである。
【手続補正４】
【補正対象書類名】明細書
【補正対象項目名】００１２
【補正方法】変更
【補正の内容】
【００１２】
そこで、本発明は、上記課題を解決し、走査方向に対して傾斜角の変化する立体試料に対して、追従性を高め、かつ高速に、試料形状方向の分解能を一定として測定することができるプローブの走査制御装置、走査型プローブ顕微鏡、加工装置を提供することを目的とするものである。
また、本発明は、走査方向に対して傾斜角の変化する表面形状を持つ被加工物に対して、微細構造を均一に加工可能な走査型プローブによる加工装置を提供することを目的とするものである。
【手続補正５】
【補正対象書類名】明細書
【補正対象項目名】００１３
【補正方法】変更
【補正の内容】
【００１３】
【課題を解決するための手段】
本発明は、上記課題を達成するため、つぎの（１）〜（７）のように構成したプローブの走査制御装置、走査型プローブ顕微鏡、加工装置を提供するものである。
（１）探針を試料に対し相対走査して該試料上の情報を検出するプローブの走査制御装置において、
前記試料の表面方向において探針と試料とのなす相対速度が一定となるように、走査量と間隔制御量を制御する制御手段を有することを特徴とするプローブの走査制御装置。
（２）前記制御手段が、探針が試料表面の接線方向に追従するように追従誤差量と間隔制御速度と走査速度とから追従方向を演算する追従方向演算手段と、
前記追従方向において探針と試料との相対速度が一定値となるように演算する追従速度演算手段と、
前記追従速度演算手段の演算結果に基づき、間隔制御量を演算する間隔制御量演算手段と、
前記追従速度演算手段の演算結果に基づき、走査制御量を演算する走査制御量演算手段と、
を少なくとも有することを特徴とする上記（１）に記載のプローブの走査制御装置。
（３）探針を試料に対し相対走査して該試料上の情報を検出するプローブを有する走査型プローブ顕微鏡において、前記プローブの走査が上記（１）または
上記（２）に記載の走査制御装置によって制御するように構成されていることを特徴とする走査型プローブ顕微鏡。
（４）前記試料上の情報の検出において、等時間間隔でサンプリングを行うサンプリング手段を有することを特徴とする上記（３）に記載の走査型プローブ顕微鏡。
（５）前記サンプリング手段の得た情報を走査制御量から得られる走査方向のサンプリング位置に基づき、２次元分布として合成する情報合成手段を有することを特徴とする上記（４）に記載の走査型プローブ顕微鏡。
（６）探針を被加工物に対し相対走査して該被加工物を加工する走査型プローブによる加工装置において、前記プローブの走査が上記（１）または上記（２）に記載の走査制御装置によって制御するように構成されていることを特徴とする走査型プローブによる加工装置。
（７）前記被加工物の加工において、探針が追従する試料形状の空間周波数を制限する周波数制限手段を有することを特徴とする上記（６）に記載の走査型プローブによる加工装置。
【手続補正６】
【補正対象書類名】明細書
【補正対象項目名】００２２
【補正方法】変更
【補正の内容】
【００２２】
【発明の効果】
以上に説明したように、本発明によれば、傾斜角の変化する立体試料に対して、追従性を高め、かつ高速に、試料形状方向の分解能を一定として測定することができるプローブの走査制御装置、走査型プローブ顕微鏡、加工装置を実現することができる。また、本発明によれば、傾斜角の変化する表面形状を持つ被加工物に対して、微細構造を均一に加工可能とする走査型プローブによる加工装置を実現することができる。
また、本発明によれば、走査量から各サンプリング点の位置を得るように構成することにより、測定結果の２次元分布としての合成が可能となる。
また、本発明によれば、探針の追従距離を計算する信号の周波数を制限するように構成することにより、より高速に加工を行うことが可能となる。
【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  プレート本体に、試料または試薬が収容される複数のウェルを形成してなるウェルプレートにおいて、
前記各ウェルが、
前記プレート本体に形成される第１のウェル部と、
前記プレート本体に形成される第２のウェル部と、
前記プレート本体に形成され前記第１のウェル部の底部と前記第２のウェル部の底部とを連通する連通部と、
を有していることを特徴とするウェルプレート。
【請求項２】  請求項１記載のウェルプレートにおいて、
前記第１のウェル部が前記第２のウェル部より大径とされ、前記第１のウェル部の開口部が、前記試料または試薬の入口とされていることを特徴とするウェルプレート。
【請求項３】  請求項２記載のウェルプレートにおいて、
前記第１のウェル部が格子状に形成され、前記第１のウェル部に四方を囲まれた空間に前記第２のウェル部が形成されていることを特徴とするウェルプレート。
【請求項４】  プレート本体に、試料または試薬が収容される複数のウェルを形成してなるウェルプレートにおいて、
前記各ウェルが、
前記プレート本体の上面側に形成され開口部が前記試料または試薬の入口とされる第１のウェル部と、
前記プレート本体の底面側に前記第１のウェル部と軸線を異ならせて形成される第２のウェル部と、
前記プレート本体に形成され前記第１のウェル部の下部と前記第２のウェル部の上部とを連通する連通部と、
を有し、
前記第２のウェル部の上底面が前記軸線に対して垂直な平面内に形成されていることを特徴とするウェルプレート。
【請求項５】  請求項４記載のウェルプレートにおいて、
前記連通部が、前記第１のウェル部の下部の外周の一部と、前記第２のウェル部の上部の外周の一部とを重ねることにより形成されていることを特徴とするウェルプレート。
【請求項６】  請求項４または請求項５記載のウェルプレートにおいて、
前記プレート本体の上面側または底面側に、マスク部材が配置され、このマスク部材に、前記第２のウェル部の上底面に光を導く穴部が形成されていることを特徴とするウェルプレート。
【請求項７】  請求項１ないし請求項７のいずれか１項記載のウェルプレートにおいて、
前記プレート本体が、
前記第１のウェル部，前記第２のウェル部および前記連通部が形成される本体部材と、
前記本体部材の底面に固着される底板と、
を有することを特徴とするウェルプレート。
【請求項８】  プレート本体に、試料または試薬が収容されるウェルを形成してなるウェルプレートにおいて、
前記プレート本体に形成される第１のウェル部と、
前記第１のウェル部の軸線と平行な軸線を有する前記プレート本体に形成される第２のウェル部と、
前記プレート本体に形成され前記第１のウェル部と前記第２のウェル部とを連通する連通部と、
を有していることを特徴とするウェルプレート。
【請求項９】  請求項８記載のウェルプレートにおいて、
前記第１のウェル部は、前記プレート本体の上面の開口部から内部に向かって形成され、前記開口部が、前記試料または前記試薬の投入口とされ、
前記第２のウェル部は、前記第１のウェル部から投入された前記試料または前記試薬が前記連通部を介して溜まり、観察、測定に供することを特徴とするウェルプレート。
【請求項１０】  プレート本体に、試料または試薬が収容されるウェルを形成してなるウェルプレートにおいて、
前記プレート本体の上面に、前記試料または試薬を投入する開口部が形成された第１のウェル部と、
前記第１のウェル部の軸線に平行な観察、測定のための軸線を有し、その軸線に垂直に形成される上面および下面の間に前記試料または液体状の試薬が充満した、観察、測定のための第２のウェル部とが形成され、
前記第１のウェル部と前記第２のウェル部とが連通してなることを特徴とするウェルプレート。
【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】
１）被検体を撮像した画像データを記憶する記憶手段と、
２）前記画像データと操作ボタンを表示する表示装置と、
３）操作を受け付ける入力手段と、
４）前記画像データを分類カテゴリごとに分類するコンピュータと、
を備えた検査装置であって、
５）前記コンピュータは、
ａ）被検体の分類カテゴリと、前記分類カテゴリに対応して任意に設定されるユーザカ
テゴリ(sub c1ass)を表示するカテゴリ階層表示領域と、
ｂ）前記カテゴリ階層表示領域で選択された分類カテゴリに対応する複数の前記画像デ
ータを表示可能な第一の表示領域と、
ｃ）前記カテゴリ階層表示領域で選択されたユーザカテゴリに対応する複数の前記画像
データを表示可能な第二の表示領域とを、前記表示装置に表示し、
ｄ）前記第一の表示領域から前記第二の表示領域への前記画像データの移動操作を前記
入力手段から受け付けて、前記画像データの移動先のユーザカテゴリを前記画像デ
ータのユーザカテゴリとして前記記憶手段に記憶させる
ことを特徴とする検査装置。
【請求項２】
請求項１の検査装置において、
前記コンピュータが前記表示装置に表示する前記第二の表示領域は、
前記カテゴリ階層表示領域で選択された前記ユーザカテゴリに対応する複数の前記画像データを、複数の前記ユーザカテゴリごとに分けて表示可能な表示領域であることを特徴とする検査装置。
【請求項３】
請求項１の検査装置において、
前記コンピュータは、
前記入力手段を介して、前記第一の表示領域に表示される前記画像データの選択を受け付けて、
当該画像データの拡大画像を表示する第三の表示領域を前記表示装置に表示することを特徴とする検査装置。
【請求項４】
請求項２の検査装置において、
前記拡大画像は、被検体の右方、左方および正面の拡大した撮像画像であることを特徴とする検査装置。
【請求項５】
請求項１の検査装置において、
前記コンピュータは、ロードした全ての撮像画像を撮像の時系列に従って点の集合として表示するシステムカテゴリ表示制御ＭＡＰ領域を前記表示手段に表示し、
前記第一の表示領域に表示される複数の前記画像データは、前記ロードした全ての撮像画像の一部を撮像の時系列に従って表示したものであって、
前記システムカテゴリ表示制御ＭＡＰ領域は前記第一の表示領域に表示される範囲を示す識別マークを前記システムカテゴリ表示制御ＭＡＰ領域に表示することを特徴とする検査装置。
【請求項６】
請求項１の検査装置において、
前記被検体は半導体ウェハであり、前記分類カテゴリは該半導体ウェハの欠陥分類に基づくことを特徴とする検査装置。
【請求項７】
請求項２の検査装置において、
前記被検体は半導体ウェハであり、前記分類カテゴリは該半導体ウェハの欠陥分類に基づくことを特徴とする検査装置。
【請求項８】
請求項４の検査装置において、
前記被検体は半導体ウェハであり、前記分類カテゴリは該半導体ウェハの欠陥分類に基づくことを特徴とする検査装置。
【請求項９】
請求項１において、
前記第一の表示領域に同時に表示する各画像データの大きさは、一辺４８ピクセル以上で７０ピクセル以下であることを特徴とする検査装置。
【請求項１０】
請求項１において、
前記第一の表示領域に同時に表示可能な複数の画像データの列数の最大値を６以上９画像以下とし、行数の最大値を６以上９画像以下としたことを特徴とする検査装置。
【手続補正書】
【提出日】平成19年6月26日(2007.6.26)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  シート状の用紙の表裏両面に画像形成を行う為の転写手段と、
用紙の第一面目に画像形成するために用紙を前記転写手段に給送する第一の給紙手段と、
第一面目の画像形成終了後の用紙を表裏反転するための反転手段と、
用紙の第二面目に画像形成するために、前記反転手段により反転された用紙を前記転写手段に給送する第二の給紙手段と、
を有し、前記第一の給紙手段から給送された用紙への画像形成と前記第二の給紙手段から給送された用紙への画像形成を交互に繰り返す画像形成装置であって、
前記第一の給紙手段から連続して給送される用紙のサイズが異なる可能性があると判断される場合には、前記第一の給紙手段から給送した用紙の第一面目への画像形成から該用紙の第二面目への画像形成を行う前までに実行される画像形成の回数である両面循環枚数が、両面に画像形成可能な用紙サイズのうち、最大長の用紙を給送した場合の両面循環枚数に一致するように前記第一の給紙手段と前記第二の給紙手段からの給送を制御することを特徴とする画像形成装置。
【請求項２】  前記第一の給紙手段は、複数の給紙部を含むことを特徴とする請求項１記載の画像形成装置。
【請求項３】  原稿の画像を読み取る読取手段を有し、前記制御手段は、読み取るべきすべての原稿を読み取るまでは、前記最大長の用紙を給送した場合の両面循環枚数となるように前記第一の給紙手段と前記第二の給紙手段からの給送を制御することを特徴とする請求項１記載の画像形成装置。
【手続補正３】
【補正対象書類名】明細書
【補正対象項目名】０００１
【補正方法】変更
【補正の内容】
【０００１】
本発明は、用紙の両面に像形成を行う画像形成装置に関し、特にその処理能力の向上に関するものである。
【手続補正４】
【補正対象書類名】明細書
【補正対象項目名】０００６
【補正方法】変更
【補正の内容】
【０００６】
本発明は、上述の事情に鑑みて成されたもので、１枚毎の両面画像形成を行っていた従来の制御に比べ効率の良い両面画像形成制御を行うことが可能な画像形成装置を提供することを目的とする。
【手続補正５】
【補正対象書類名】明細書
【補正対象項目名】０００７
【補正方法】変更
【補正の内容】
【０００７】
【課題を解決するための手段】
本発明は、下記構成を備えることにより上記課題を解決できるものである。
（１）シート状の用紙の表裏両面に画像形成を行う為の転写手段と、
用紙の第一面目に画像形成するために用紙を前記転写手段に給送する第一の給紙手段と、
第一面目の画像形成終了後の用紙を表裏反転するための反転手段と、
用紙の第二面目に画像形成するために、前記反転手段により反転された用紙を前記転写手段に給送する第二の給紙手段と、
を有し、前記第一の給紙手段から給送された用紙への画像形成と前記第二の給紙手段から給送された用紙への画像形成を交互に繰り返す画像形成装置であって、
前記第一の給紙手段から連続して給送される用紙のサイズが異なる可能性があると判断される場合には、前記第一の給紙手段から給送した用紙の第一面目への画像形成から該用紙の第二面目への画像形成を行う前までに実行される画像形成の回数である両面循環枚数が、両面に画像形成可能な用紙サイズのうち、最大長の用紙を給送した場合の両面循環枚数に一致するように前記第一の給紙手段と前記第二の給紙手段からの給送を制御することを特徴とする画像形成装置。
（２）前記第一の給紙手段は、複数の給紙部を含むことを特徴とする前記（１）記載の画像形成装置。
（３）原稿の画像を読み取る読取手段を有し、前記制御手段は、読み取るべきすべての原稿を読み取るまでは、前記最大長の用紙を給送した場合の両面循環枚数となるように前記第一の給紙手段と前記第二の給紙手段からの給送を制御することを特徴とする前記（１）記載の画像形成装置。
【手続補正６】
【補正対象書類名】明細書
【補正対象項目名】０００８
【補正方法】削除
【補正の内容】
【手続補正７】
【補正対象書類名】明細書
【補正対象項目名】００９
【補正方法】削除
【補正の内容】
【手続補正８】
【補正対象書類名】明細書
【補正対象項目名】００１０
【補正方法】削除
【補正の内容】
【手続補正書】
【提出日】平成19年6月18日(2007.6.18)
【手続補正１】
【補正対象書類名】明細書
【補正対象項目名】特許請求の範囲
【補正方法】変更
【補正の内容】
【特許請求の範囲】
【請求項１】  アクセスしてきた依頼人のコンピュータとインターネットを介して通信するＷｅｂ文書カスタマイズサーバーにおいて、
前記Ｗｅｂ文書のカスタマイズに関する要望事項を記入するためのカスタマイズ申込書のＷｅｂ文書を前記依頼人のコンピュータに送達する送達手段と、
前記カスタマイズ申込書のＷｅｂ文書に記入された情報を前記依頼人のコンピュータから取得して、当該取得した情報に基づいてマークアップ言語の記述修正規則を決定し、当該記述修正規則をＷｅｂ文書カスタマイズ情報として当該依頼人の依頼人名簿とを対応付けてデータベースに記憶するカスタマイズ申込書管理手段と、
前記依頼人が閲覧を所望するＷｅｂ文書の所在を受け取り、その所在に該当するＷｅｂサーバーと通信して当該Ｗｅｂ文書を取得する取得手段と、
前記Ｗｅｂ文書の閲覧を所望する依頼人の依頼人名簿に対応付けられた前記Ｗｅｂ文書カスタマイズ情報に基づいて、前記取得手段により取得されたＷｅｂ文書のマークアップ言語の記述を修正して、この修正されたＷｅｂ文書を前記依頼人のコンピュータに送達する修正文書送達手段と、
を備えることを特徴とするＷｅｂ文書カスタマイズサーバー。
【請求項２】  請求項１に記載のＷｅｂ文書カスタマイズサーバーにおいて、  前記取得手段が取得したＷｅｂ文書の体裁を解析し、当該Ｗｅｂ文書中にカスタマイズすべき部分があるか否かを判断する判断手段を備え、
前記修正文書送達手段は、前記判断手段によりカスタマイズすべき部分があると判断された場合に、前記取得手段により取得されたＷｅｂ文書のマークアップ言語の記述を修正することを特徴とするＷｅｂ文書カスタマイズサーバー。
【手続補正２】
【補正対象書類名】明細書
【補正対象項目名】０００９
【補正方法】変更
【補正の内容】
【０００９】
【課題を解決するための手段】
前記の目的を達成する本発明は、アクセスしてきた依頼人のコンピュータとインターネットを介して通信するＷｅｂ文書カスタマイズサーバーにおいて、
前記Ｗｅｂ文書のカスタマイズに関する要望事項を記入するためのカスタマイズ申込書のＷｅｂ文書を前記依頼人のコンピュータに送達する送達手段と、
前記カスタマイズ申込書のＷｅｂ文書に記入された情報を前記依頼人のコンピュータから取得して、当該取得した情報に基づいてマークアップ言語の記述修正規則を決定し、当該記述修正規則をＷｅｂ文書カスタマイズ情報として当該依頼人の依頼人名簿とを対応付けてデータベースに記憶するカスタマイズ申込書管理手段と、
前記依頼人が閲覧を所望するＷｅｂ文書の所在を受け取り、その所在に該当するＷｅｂサーバーと通信して当該Ｗｅｂ文書を取得する取得手段と、
前記Ｗｅｂ文書の閲覧を所望する依頼人の依頼人名簿に対応付けられた前記Ｗｅｂ文書カスタマイズ情報に基づいて、前記取得手段により取得されたＷｅｂ文書のマークアップ言語の記述を修正して、この修正されたＷｅｂ文書を前記依頼人のコンピュータに送達する修正文書送達手段と、を備えることを特徴とする。
また、本発明において、前記取得手段が取得したＷｅｂ文書の体裁を解析し、当該Ｗｅｂ文書中にカスタマイズすべき部分があるか否かを判断する判断手段を備え、
前記修正文書送達手段は、前記判断手段によりカスタマイズすべき部分があると判断された場合に、前記取得手段により取得されたＷｅｂ文書のマークアップ言語の記述を修正することとしてもよい。